(57)【要約】【課題】従来のコンクリート試料採取用型枠よりも、効率性・環境性に優れるコンクリート試料採取用型枠を提供すること。【解決手段】本発明に係る吹き付けコンクリート試料採取用型枠は、矩形状の底板と、前記底板の三辺に可動自在に結合した複数の側壁板と、からなり、前記底板および側壁板を金属製とし、前記複数の側壁板を組み立てて形成する、試料の採取空間を有することを特徴とする。【選択図】図１
2017106772.tif 000002
【特許請求の範囲】
【請求項１】
矩形状の底板と、
前記底板の三辺に可動自在に結合した複数の側壁板と、からなり、
前記複数の側壁板を組み立てて形成する、試料の採取空間を有することを特徴とする、
吹き付けコンクリート試料採取用型枠。
【請求項２】
前記側壁板の外面側に張出部を有し、組立時には、隣り合う側壁板を、前記張出部を介して結合可能としたことを特徴とする、請求項１に記載の吹き付けコンクリート試料採取用型枠。
【請求項３】
吊りワイヤーを係止可能な係止部を更に設けたことを特徴とする、請求項１または２に記載の吹き付けコンクリート試料採取用型枠。
【請求項４】
前記底板に、アンカーを取り付けるための貫通孔を設けたことを特徴とする、請求項１乃至３のうち何れか１項に記載の吹き付けコンクリート試料採取用型枠。
【発明の詳細な説明】
【技術分野】
【０００１】
本発明は、吹き付けコンクリートの試料を採取するために用いる、コンクリート試料採取用型枠（以下、単に「型枠」ともいう）に関する。
【背景技術】
【０００２】
トンネルの一次支保工の吹き付けコンクリートの品質管理を行う上で、特許文献１に記載のように、吹き付けコンクリートの圧縮強度試験用の試料を採取する場合がある。
この試料は、型枠に吹き付けコンクリートを吹き付けてなる製作したブロックから、コアドリルにて円柱状の供試体を取り出すことで得ることができる。
この型枠は、簡易で扱いやすい木製のパネルで製作することが一般的である。
【先行技術文献】
【特許文献】
【０００３】
【特許文献１】特許第４９０７４０９号公報
【発明の概要】
【発明が解決しようとする課題】
【０００４】
しかし、前記従来の型枠では、以下の問題がある。
（１）転用ができない。
使用後に型枠を解体しなければならず、部材の転用ができないので、使用する度に新たな型枠の製作と解体作業が発生し、非効率である。
（２）廃材が発生する。
解体した型枠は、廃材となるため、環境負荷低減の観点から好ましくない。
【０００５】
本願発明は、前記した従来のコンクリート試料採取用型枠よりも、効率性・環境性に優れるコンクリート試料採取用型枠を提供することを目的とする。
【課題を解決するための手段】
【０００６】
上記の課題を解決すべくなされた本願の第１発明は、矩形状の底板と、前記底板の三辺に可動自在に結合した複数の側壁板と、からなり、前記複数の側壁板を組み立てて形成する、試料の採取空間を有することを特徴とする、吹き付けコンクリート試料採取用型枠を提供する。
また、本願の第２発明は、前記第１発明において、前記側壁板の外面側に張出部を有し、組立時には、隣り合う側壁板を、前記張出部を介して結合可能としたことを特徴とする。
また、本願の第３発明は、前記第１または第２発明において、吊りワイヤーを係止可能な係止部を更に設けたことを特徴とする。
また、本願の第４発明は、前記第１乃至第３発明のうち何れかにおいて、前記底板に、アンカーを取り付けるための貫通孔を設けたことを特徴とする。
【発明の効果】
【０００７】
本発明によれば、以下に記載する効果を得ることができる。
（１）型枠の転用が可能となる。
型枠を構成する側壁板を可動自在とすることで、型枠を解体することなくコンクリートブロックの脱型が可能である。
よって、型枠の転用が可能となり、新たな型枠の製作や解体に手間を取られることがない。
（２）廃材が発生しない。
転用が可能で廃材も発生しないため、環境に配慮した型枠を提供できる。
（３）製作が容易である。
構造が簡易で、安価に製作することができる。
（４）軽量化と変形防止の両立が可能である。
側壁板の外面側に設けた張出部が補強リブとなって、側壁板の変形を防止することができる。また、この張出部を設けることで、側壁板をできる限り薄肉化することで軽量化にも寄与する。
（５）型枠の強度を向上できる。
隣り合う張出部同士をボルト結合で強固に一体化することにより、全体としてさらに剛性の高い型枠を提供することができる。
（６）型枠の運搬が容易となる。
コンクリート吹き付け後の型枠の重量が１５０ｋｇ程度に達するため、人力での運搬ができない。そこで、互いに対向する前記側壁板に、吊りワイヤーを係止可能な係止部を設けておくことで、コンクリート吹き付け後の型枠を、コア採取場までクレーンで安全に運搬することができる。
【図面の簡単な説明】
【０００８】
【図１】本発明に係る吹き付けコンクリート試料採取用型枠の概略斜視図。
【発明を実施するための形態】
【０００９】
以下、図面を参照しながら、本願発明の実施例について説明する。
【実施例】
【００１０】
＜１＞全体構成
図１に示すように、本発明に係る吹き付けコンクリート試料採取用型枠Ａは、矩形状の底板１０と、前記底板の三辺に可動自在に結合した複数の側壁板２０とを少なくとも具備する。
底板１０および側壁板２０は、金属や樹脂などで構成することができる。
以下、各構成要素の詳細について説明する。
なお、以下の説明で記載する上下左右の方向は、図１において図示した方向を示す。
【００１１】
＜２＞底板
底板１０は、吹き付けコンクリートの吹付面となって、吹き付けられたコンクリートからなるコンクリートブロックの底面を支持する箇所である。
底板１０の大きさは、１つのコンクリートブロックから試料体を取り出す本数に応じて適宜決定することができる。
【００１２】
＜２．１＞貫通孔
底板１０には、厚さ方向に貫通する貫通孔１１を設けておくと好ましい。
この貫通孔１１は、型枠に吹き付けて形成したコンクリートブロックから、円柱状の試料体を取り出す際に、コアドリルを固定するためのアンカーを取り付けるための穴として使用することができる。
【００１３】
＜２．２＞把持部
底板１０の下側には、取手状に形成した把持部１２を設けておくこともできる。
この把持部１２により、コンクリート吹き付け前の型枠の把持・運搬が容易となる。
【００１４】
＜３＞側壁板
側壁板２０は、吹き付けられたコンクリートの一側面を支持する箇所である。
本実施例では、矩形状の底板１０の三辺の各辺に対し、それぞれ側壁板２０の一辺を、ヒンジ２１によって可動自在に結合している。
【００１５】
＜３．１＞張出部
各側壁板２０の外面には、該外面方向に張り出した張出部２２を設けておくことができる。張出部２２は、側壁板２０の補強リブとして機能するため、側壁板２０の変形を防止できる範囲で、できる限り側壁板２０の厚さを薄くするなどの軽量化に寄与する。
【００１６】
＜３．１．１＞上側の側壁板における張出部
底板１０の上側にヒンジ結合した側壁板２０ａの外面には、左右両側に延出するように配置したアングルを溶接することによって、張出部２２ａを形成している。
この張出部２２ａの左右端部には、組み立てた際に、後述する左右側の張出部２２ｂに設けたネジ孔２３ｂと連通するネジ孔２３ａを設けておく。
【００１７】
＜３．１．２＞左右側の側壁板における張出部
底板の左右両側にヒンジ結合した側壁板２０ｂの外面には、上側の側壁板２０ａと接する側に延出するように配置したアングルを溶接することによって、張出部２２ｂを形成している。
この張出部２２ｂの上端部には、組立てた際に、ネジ孔２３ａと連通するネジ孔２３ｂを設けておく。
【００１８】
＜４＞係止部
本発明では、さらに型枠を吊り上げるための係止部３０を設けておくことができる。
係止部３０を設ける箇所は、型枠中の何れの場所でも良いが、クレーンなどで吊り上げる際に、安定した状態で吊り上げることが可能な場所であることが好ましい。
図１では、左右の側壁板２０ｂにおける張出部２２ｂの下端に、螺子孔を有する板を接合し、該ネジ孔に螺合したアイボルト３１によって、係止部３０を構成している。
【００１９】
＜５＞組立方法
側壁板２０を、底板１０の平面方向と略直交するように組み立てて、ネジ孔２３ａ，２３ｂにボルト２４を挿入してナット２５で締結することで、底板１０と側壁板２０とで四面を囲んだ採取空間４０を形成することができる。
【００２０】
＜６＞解放面の形成
なお、矩形状の底板１０の一辺（図１における下側の辺）には、側壁板２０を設けていないため解放した状態となっている。
これは、型枠の使用時に、吹き付けたコンクリートの跳ね返りが試料に混入しないようにするためである。
【００２１】
＜７＞使用方法
次に、本発明に係る型枠の使用方法の一例について説明する。
（１）コンクリートブロックの製作
まず、型枠を組み立てた状態で、実際の吹付面と略同一の環境となるように、壁に立て掛ける。
このとき、前記解放面が下側を向くように、型枠を配置する。
そして、型枠の採取空間４０に対しコンクリートを吹き付ける。
（２）コンクリートブロックの運搬
吹き付けコンクリートが硬化したのち、型枠をコア採取場まで運搬する。
このとき、コンクリートブロックを含む型枠は約１５０ｋｇにも及ぶため、人力での運搬が困難であるが、前記した係止部３０を介してクレーンで吊り上げることによって、型枠を安全に運搬することができる。
（３）供試体を取り出し
コア採取場まで運搬した型枠に、貫通孔１１を介してアンカーを取り付けて固定したのち、コアドリルでもって、所定の本数、円柱状の供試体を取り出す。
（４）型枠の展開・脱型
ボルト２４・ナット２５による締結を解いて側壁板２０を展開し、コンクリートブロックから型枠を取り出す。
以上の通り、本発明に係るコンクリート試料採取用型枠は、再利用に供することができ、廃材の発生を抑え、新たな型枠の製作などの手間を要することもない。
【符号の説明】
【００２２】
１０  底板
１１  貫通孔
１２  把持部
２０  側壁板
２１  ヒンジ
２２  張出部
２３  ネジ孔
２４  ボルト
２５  ナット
３０  係止部
３１  アイボルト
４０    採取空間
【図１】
2017106772.tif 000003